(57)【要約】【課題】情報記録媒体から再生した情報を情報表示装置に転送して表示させるシステムにおいて、再生した情報を表示画面上の所望の位置を指定して表示させることができるようにする。【解決手段】情報表示装置２０に情報記録媒体１０が所定距離以内に近づいたときに読み取りを実行して情報記録媒体１０から情報を受信する複数の情報読取部２１を、情報表示装置２０の表示画面上の複数の座標位置に対向する位置に設けて、複数の情報読取部２１のうち、情報記録媒体１０から情報を受信した情報読取部２１が設けられている位置に対向する表示画面上の座標位置に対して、情報記録媒体１０から受信した情報を表示させることにより、ユーザが表示画面上の所望の位置を指定して、情報記録媒体１０に格納されている情報を再生して表示させることができるようにする。【選択図】図１
2015036947.tif 000002
【特許請求の範囲】
【請求項１】
情報記録媒体から再生した情報を情報表示装置に転送して表示させる情報再生表示システムであって、
上記情報記録媒体は、上記情報を格納する情報格納部と、上記情報格納部から再生された情報を無線送信する情報送信部とを備え、
上記情報表示装置の表示画面上の複数の座標位置に対向する位置に設けられ、上記情報記録媒体が所定距離以内に近づいたときに、上記情報格納部に格納されている情報の読み取りを実行し、上記情報送信部により送信された情報を受信する複数の情報読取部と、
上記複数の情報読取部のうち、上記情報の読み取りを実行して上記情報記録媒体から情報を受信した情報読取部に対向する上記表示画面上の座標位置に対して、上記情報読取部により受信された情報を表示させる表示制御部とを備えたことを特徴とする情報再生表示システム。
【請求項２】
上記表示制御部は、上記複数の情報読取部を識別可能な識別情報と上記複数の情報読取部に対応する座標位置の情報とを関連付けて記憶させた関連付け情報記憶部を備え、
上記情報読取部は、上記情報記録媒体から情報と共に受信した上記識別情報を上記表示制御部に通知し、
上記表示制御部は、上記情報読取部より通知された上記識別情報に基づいて上記関連付け情報記憶部を参照することによって上記座標位置を特定し、当該特定した座標位置に対して、上記情報読取部より通知された情報を表示させることを特徴とする請求項１に記載の情報再生表示システム。
【請求項３】
情報記録媒体から再生されて送信された情報を受信して表示させる情報表示装置であって、
表示画面上の複数の座標位置に対向する位置に設けられ、上記情報記録媒体が所定距離以内に近づいたときに、上記情報格納部に格納されている情報の読み取りを実行し、上記情報送信部により送信された情報を受信する複数の情報読取部と、
上記複数の情報読取部のうち、上記情報の読み取りを実行して上記情報記録媒体から情報を受信した情報読取部に対向する座標位置に対して、上記情報読取部により受信された情報を表示させる表示制御部とを備えたことを特徴とする情報表示装置。
【発明の詳細な説明】
【技術分野】
【０００１】
本発明は、情報再生表示システムおよび情報表示装置に関し、特に、情報記録媒体から再生した情報を情報表示装置に転送して表示させるシステムに用いて好適なものである。
【背景技術】
【０００２】
従来、情報記録媒体から内部の情報を電子機器に転送して再生するシステムが知られている（例えば、特許文献１，２参照）。特許文献１に記載の電子アルバム装置は、メモリカードから読み出したアルバムデータを再生して、コマ画像をページに貼り付けた形態でディスプレイに表示するようになされている。また、ディスプレイの近傍には、タグ付き写真プリントから画像データを読み取る読み取り部が設けられている。タグ付き写真プリントは、プリント画像が印刷された写真プリントに、プリント画像の元データとなる画像データを格納したＩＣタグを設けたものである。タグ付き写真プリントを読み取り部に近づけると、読み取り部がＩＣタグから自動的にデータ読み取りを実行して、アルバムデータに画像データが追加されるようになっている。
【０００３】
また、特許文献２に記載のディスプレイ装置は、メディアデバイス（パーソナルコンピュータ、テレビジョン、カメラ、ビデオカメラ、ゲーム装置または携帯電話やＰＡＤなどのモバイル装置）を有線または無線で接続できるように構成されており、メディアデバイスからディスプレイ装置に画像を送信することにより、メディアデバイスよりも大きいエリアに画像を拡大して表示することができるようになされている。メディアデバイス上には、ディスプレイ装置の位置を決定するために１以上のセンサが配置されており、ユーザが希望するディスプレイの位置によって、メディアデバイスからどのコンテンツ部分をディスプレイ装置にて表示または再生すべきかを決定することができるようになっている。
【先行技術文献】
【特許文献】
【０００４】
【特許文献１】特開２００５−０５７３８７号公報
【特許文献２】特表２００５−５３４０５４号公報
【発明の概要】
【発明が解決しようとする課題】
【０００５】
しかしながら、上記特許文献１，２を含む従来の技術では、メモリカードやＩＣタグ、あるいはメディアデバイス等の情報記録媒体から再生された情報はディスプレイ上の所定の位置に表示されるようになっている。そのため、ユーザが希望する位置を任意に指定して情報を表示させることができないという問題があった。例えば、ホワイトボード上の所望の位置にテキストや画像を描くような感覚で、情報記録媒体から再生した情報をディスプレイ上の所望の位置に表示させることはできなかった。
【０００６】
本発明は、このような問題を解決するために成されたものであり、情報記録媒体から再生した情報を情報表示装置に転送して表示させるシステムにおいて、再生した情報を表示画面上の所望の位置を指定して表示させることができるようにすることを目的とする。
【課題を解決するための手段】
【０００７】
上記した課題を解決するために、本発明では、情報表示装置に情報記録媒体が所定距離以内に近づいたときに読み取りを実行して情報記録媒体から情報を受信する複数の情報読取部を、情報表示装置の表示画面上の複数の座標位置に対向する位置に設ける。そして、複数の情報読取部のうち、情報記録媒体から情報を受信した情報読取部が設けられている位置に対向する表示画面上の座標位置に対して、情報記録媒体から受信した情報を表示させるようにしている。
【発明の効果】
【０００８】
上記のように構成した本発明によれば、情報表示装置の表示画面上でユーザが希望する座標位置に情報記録媒体を近づけると、その座標位置と対向する位置に設けられている情報読取部によって情報記録媒体の情報が読み取られ、その座標位置に情報が表示されることとなる。これにより、ユーザが表示画面上の所望の位置を指定して、情報記録媒体に格納されている情報を再生して表示させることができる。そのため、ユーザは、例えば情報表示装置の表示画面をホワイトボードに見立てて、ホワイトボード上の所望の位置にテキストや画像を描くような感覚で、情報記録媒体から再生したテキストや画像等の情報を表示画面上の所望の位置に表示させることができる。
【図面の簡単な説明】
【０００９】
【図１】本実施形態による情報再生表示システムのハードウェア構成例を示す図である。
【図２】本実施形態による情報再生表示システムの機能構成例を示すブロック図である。
【図３】本実施形態の情報再生表示システムによりテキスト情報を表示させた状態の例を示す図である。
【発明を実施するための形態】
【００１０】
以下、本発明の一実施形態を図面に基づいて説明する。図１は、本実施形態による情報再生表示システムのハードウェア構成例を示す図である。図２は、本実施形態による情報再生表示システムの機能構成例を示すブロック図である。
【００１１】
図１に示すように、本実施形態の情報再生表示システム１００は、テキストや画像等の表示可能な情報を格納した情報記録媒体１０と、当該情報記録媒体１０から再生された（読み出された）情報を受信して表示する情報表示装置２０とを備えて構成されている。
【００１２】
情報記録媒体１０は、図２に示すように、情報を格納する情報格納部１１と、情報格納部１１から再生された情報を無線送信する情報送信部１２とを備えている。情報送信部１２は、情報格納部１１から再生された情報を送信する際に、自身の識別情報も一緒に送信する。
【００１３】
なお、この情報記録媒体１０は、情報を格納する機能と、近距離無線通信により情報を送信する機能とを少なくとも有して入ればよく、その形態は問わない。例えば、情報記録媒体１０は、情報格納部１１としてのメモリと、情報送信部１２としてのＩＣタグとを内蔵しており、メモリから読み出した情報をＩＣタグにより無線で送信する。
【００１４】
情報表示装置２０は、コンピュータからの制御によって、表示画面上の任意の座標位置に任意の情報を表示することが可能になされたフラットパネルディスプレイである。情報表示装置２０は、図１に示すように複数のリーダ２１を備えている。これらのリーダ２１（図２では情報読取部２１として示している）は、情報記録媒体１０の情報送信部１２（ＩＣタグ）との間で無線通信により情報のやり取りを行う。
【００１５】
なお、図１は、情報表示装置２０を裏側（表示画面がある表側とは反対側）から見た状態を示しており、複数のリーダ２１は情報表示装置２０の裏側に配置されている。具体的には、リーダ２１は、情報表示装置２０の表示画面上の複数の座標位置に対向する位置に設けられている。図１の例では、情報表示装置２０の表側にある表示画面においてＸ軸方向およびＹ軸方向のそれぞれに対して一定間隔ごとに設定した複数の座標位置から、情報表示装置２０の裏側に向かって垂直（Ｚ軸方向）に垂線を下したと仮定した場合に、その垂線が情報表示装置２０の裏面と交わる位置に複数のリーダ２１を配置している。
【００１６】
これらのリーダ２１は、情報記録媒体１０が所定距離以内（ＩＣタグとの通信可能圏内）に近づいたときに、情報記録媒体１０の情報格納部１１に格納されている情報の読み取り処理を実行し、情報送信部１２により送信された情報を受信する。本実施形態では、情報表示装置２０の表側にある表示画面上の任意の座標位置に情報記録媒体１０（のＩＣタグ）を接触させる程に近づけると、その座標位置に対向する裏側の位置に最も近いところに配置されたリーダ２１が通信可能圏内に入って、上述の読み取り処理を実行するようになっている。
【００１７】
表示制御部２２は、例えば、ＣＰＵ、ＲＡＭ、ＲＯＭなどを備えたマイクロコンピュータ（マイコン）により構成され、情報読取部２１により情報記録媒体１０から受信した情報を表示させる制御を行う。すなわち、表示制御部２２は、情報表示装置２０の裏側に配置されている複数のリーダ（情報読取部）２１のうち、情報の読み取りを実行して情報記録媒体１０から情報を受信した情報読取部２１に対向する表示画面上の座標位置に対して、情報読取部２１により受信された情報を表示させる。
【００１８】
図２に示すように、表示制御部２２は、複数の情報読取部２１を識別可能な識別情報と、複数の情報読取部２１に対応する座標位置の情報とを関連付けて記憶させた関連付け情報記憶部２２ａを備えている。情報読取部２１は、情報記録媒体１０から表示すべき情報と共に受信した識別情報を表示制御部２２に通知する。表示制御部２２は、情報読取部２１より通知された識別情報に基づいて関連付け情報記憶部２２ａを参照することによって座標位置を特定し、当該特定した座標位置に対して、情報読取部２１より通知された情報を表示させる。
【００１９】
ここで、表示する情報が複数の文字から成るテキスト情報である場合、表示制御部２２は、例えば図３に示すように、最初の文字を上述のように特定した座標位置に合わせてテキスト情報を表示させる。図３（ａ）は、情報記録媒体１０を情報表示装置２０の表示画面上の所望の座標位置に近づけた状態を示している。図３（ｂ）は、その座標位置を先頭として複数の文字からなるテキスト情報が表示された状態を示している。また、表示する情報が画像情報である場合、表示制御部２２は、例えば画像の中心を上述のように特定した座標位置に合わせて画像情報を表示させる。
【００２０】
以上詳しく説明したように、本実施形態では、情報表示装置２０に情報記録媒体１０が所定距離以内に近づいたときに読み取りを実行して情報記録媒体１０から情報を受信する複数の情報読取部（リーダ）２１を、情報表示装置２０の表示画面上の複数の座標位置に対向する位置に設ける。そして、複数の情報読取部２１のうち、情報記録媒体１０から情報を受信した情報読取部２１が設けられている位置に対向する表示画面上の座標位置に対して、情報記録媒体１０から受信した情報を表示させるようにしている。
【００２１】
このように構成した本実施形態によれば、情報表示装置２０の表示画面上でユーザが希望する座標位置に情報記録媒体１０を近づけると、その座標位置と対向する位置に設けられている情報読取部２１によって情報記録媒体１０の情報が読み取られ、その座標位置に当該読み取られた情報が表示されることとなる。これにより、ユーザが表示画面上の所望の位置を指定して、情報記録媒体１０に格納されている情報を再生して表示させることができる。
【００２２】
ここで、異なる情報が格納された複数の情報記録媒体１０を情報表示装置２０の所望の座標位置に近づけることにより、様々な情報を情報表示装置２０の表示画面の所望の位置に表示させることができる。そのため、ユーザは、例えば情報表示装置２０の表示画面をホワイトボードに見立てて、ホワイトボード上の所望の位置にテキストや画像を描くような感覚で、情報記録媒体１０から再生したテキストや画像等の情報を表示画面上の所望の位置に表示させることができる。
【００２３】
なお、上記実施形態では、情報表示装置２０が表示制御部（マイコン）２２を備える例について説明したが、本発明はこれに限定されない。例えば、情報表示装置２０の外部にマイコンを備え、情報表示装置２０と外部のマイコンとの間を有線または無線で接続するようにしてもよい。
【００２４】
その他、上記実施形態は、何れも本発明を実施するにあたっての具体化の一例を示したものに過ぎず、これによって本発明の技術的範囲が限定的に解釈されてはならないものである。すなわち、本発明はその要旨、またはその主要な特徴から逸脱することなく、様々な形で実施することができる。
【符号の説明】
【００２５】
１０  情報記録媒体
１１  情報格納部
１２  情報送信部（ＩＣタグ）
２０  情報表示装置
２１  情報読取部（リーダ）
２２  表示制御部
２２ａ  関連付け情報記憶部
【図１】
2015036947.tif 000003
【図２】
2015036947.tif 000004
【図３】
2015036947.tif 000005